(57)【要約】【課題】除菌、抗菌及び消臭ができるヘアドライヤーを提供すること。【解決手段】本発明のヘアドライヤー１は、一端に吸入口１５及び他端に吹出口１６を有する筒状で、送風装置１１を内蔵した本体ケース２と、本体ケース２の吹出口１６に着脱可能に取付けられたブローブラシユニット３と、を有し、ブローブラシユニット３は、ブリッスル３０の植毛面に複数個の吹出し孔３３を有する円筒状部材で形成されており、該円筒状のブローブラシユニット３内には、銀イオンを含んだミストを発生させるミスト発生器３４が配設されて、吹出し孔３３から銀イオンミストを吐出させる。【選択図】  図１
2010017278.tif 000002
【特許請求の範囲】
【請求項１】
一端に吸入口及び他端に吹出口を有し送風装置を内蔵した本体ケースと、
前記本体ケースの吹出口に取付けられたブラシユニットと、
を有するヘアドライヤーであって、
前記ブラシユニットに設けられたブリッスルに向けて銀イオンを含んだミストを噴出させるミスト発生器を備えていることを特徴とするヘアドライヤー。
【請求項２】
前記ミスト噴出手段は、前記ブリッスルの植毛面に複数の吹出し孔を有する筒状部材で形成されたブラシユニット内に配設された前記吹出し孔から銀イオンミストを吐出させることを特徴とする請求項１に記載のヘアドライヤー。
【請求項３】
前記ミスト噴出手段は、前記本体ケースの外周に設けられた、放出口を有するハウジング内に配設された前記放出口から銀イオンミストを吐出させることを特徴とする請求項１に記載のヘアドライヤー。
【請求項４】
前記ミスト発生器を制御するための制御基板を収容するためのハウジングを前記本体ケースの外周に設けていることを特徴とする請求項３に記載のヘアドライヤー。
【請求項５】
前記ミスト発生器は、内部に水及び銀ペレットを収容し出口に吸水部材を装着したタンクと、前記吸水部材に接触して該吸水部材から漏出する水をミスト化して噴出させる超音波励振器ユニットと、ミスト化された水をナノサイズ化して噴出させる放電ユニットと、を有していること特徴とする請求項２ないし請求項４のいずれか１項に記載のヘアドライヤー。
【請求項６】
前記タンクは、前記超音波励振器ユニットに着脱自在に装着されていることを特徴とする請求項５に記載のヘアドライヤー。
【請求項７】
前記本体ケース内には、イオン発生器が配設されていることを特徴とする請求項１ないし請求項６のいずれか１項に記載のヘアドライヤー。
【請求項８】
前記本体ケース内には、前記送風装置から送風された空気を所定温度に加熱する加熱手段が配設されていることを特徴とする請求項１ないし請求項７のいずれか１項に記載のヘアドライヤー。
【発明の詳細な説明】
【技術分野】
【０００１】
本発明はヘアドライヤーに係り、詳しくはブラシで毛髪のセットを行うことが可能なヘアドライヤーに関するものである。
【背景技術】
【０００２】
近年、ヘアドライヤーは皮膚や毛髪に優しく作用する媒体を送風できるものが開発されて市販されている。例えば、下記特許文献１に開示されているヘアドライヤーは、マイナスイオンを含む温風などを吐出できるものである。
【０００３】
以下、図７を参照して、下記特許文献１に開示されたヘアドライヤーを説明する。なお、図７は下記特許文献１に開示されたヘアドライヤーの断面図である。
【０００４】
下記特許文献１に開示されたヘアドライヤー１０１は、内部に空気流路が形成される略筒状をした本体ケーシング部１０２と、内部に空気流路が形成される略筒状をし、本体ケーシング部１０２の送風吹出口１０７に着脱自在に取り付けられるアタッチメント部１０３とから構成されている。
【０００５】
本体ケーシング部１０２内の空気流路には、送風ファン１０４、モータ１０５、ヒータ１０６が配設されている。また、アタッチメント部１０３には、その内部にマイナスイオンを発生させるためのイオン発生器１０８が収容されると共に、毛髪の乾燥およびセットなどを行うためのブリッスル１０９が設けられ、このブリッスル１０９の植毛面にはマイナスイオンを吐出するイオン吐出口１１０が形成されている。
【０００６】
このヘアドライヤー１０１は、電源スイッチがオンされると送風ファン１０４が回転し、この回転により吸気口から空気が吸い込まれて、この吸い込まれた空気は、ヒータ１０６で加温されて、送風吹出口１０７から温風となって吹出されるようになっている。そして、送風吹出口１０７から吹出された温風は、アタッチメント部１０３の内部の空気流路を通り、一群のブリッスル１０９の間から吐出されるようになっている。また、イオン発生器
１０８を通過する空気は、イオン発生器１０８からのマイナスイオンが混入されて、イオン吐出口１１０からマイナスイオンを含む温風となって吐出されて、毛髪などに供給されるようになっている。
【特許文献１】特開２００３−６１７３６号公報（段落［００１９］〜［００２８］、図１）
【発明の開示】
【発明が解決しようとする課題】
【０００７】
上記特許文献１に開示されたヘアドライヤーは、マイナスイオンを含む温風が送風されるので、毛髪の乾燥やセットだけでなく、マイナスイオンを含む温風によって毛髪のキメ細かなトリートメントをも行うことができる。
【０００８】
近年は、生活レベルが向上し、これに伴って個々人の生活様式も多様化して、ユーザからは日常頻繁に使用する身近な機器に対して様々な要求がメーカーに出されている。その要求の根源は、病気に罹らずに毎日を健康に過ごすことができ、しかもいつまでも若いときの美肌及び美髪を長く維持したいという願望に基づくものである。そして、メーカーには、このような願望を実現できる製品作りが求められている。
【０００９】
上記特許文献１に開示されたヘアドライヤーは、後者の要望に対応した製品の一つとなっており、前者の要望に対しては、各種の除菌剤及び殺菌剤並びに健康器具が開発され既に多く市販されている。
【００１０】
一方、日常の生活環境下において、身の回りには、目に見えないたくさんの細菌が存在している。これらの細菌のうち、乳酸菌などは人間に有用なものとなっているが、一方で有害な細菌、例えば大腸菌、サルモネラ菌及び黄色ブドウ球菌などの細菌も多く存在している。これらの有害な細菌は、肉や魚などの食材或いはこれらの食材を料理する道具、さらに、これらの道具などに触れた手或いは被服などに付着して様々なルートを通って感染することがある。このような細菌は、その繁殖が極めて速くしかもその感染ルートも種々雑多となって特定が困難となっているが、感染予防策としては、日常の手洗い或いは調理具などの水洗いが主流となっている。しかしながら、このような水洗いだけで感染予防がし難いのも事実であり、そこで更なる感染予防策としては、各種の除菌剤或いは殺菌剤などが開発されて、これらの除菌剤などを散布するスプレー器具も開発され既に市販されている。
【００１１】
また、食器類のうち、例えばスプーン、フォーク、皿などは、銀製のものが古くから使用されている。この銀製食器が古くから好んで使用される理由は、銀が高価で高級品となり一部の富裕層に好んで使用されるものである他に、この銀が除菌、抗菌などの作用を有し、この銀の作用により食中毒などを未然に防止することができることも理由となっている。特に銀イオンは、各種のバクテリアなどの細菌に強く吸着して、バクテリアの細胞酵素をブロッキングして死滅させる効能を有するとも言われている。また、この銀イオンは衣類などについたタバコの臭いなどを消す消臭作用をも有している。さらに、この銀イオンは塩素系薬品のような機械の腐食、塩素系薬品特有の皮膚への刺激感や薬品臭の問題及び環境汚染の問題などが無く、しかも極めて安全性が高いことなどから、近年は、食器の他に製菓材料、清涼剤或いは浄水器などにも広範囲に使用されている。
【００１２】
そこで、本発明者は、このような銀イオンが有する作用・効能に着目して、殆ど毎日身だしなみなどを整えるのに使用するヘアドライヤーに、本来の温風の他に銀イオンを吐出できるようにすれば、髪の毛の乾燥及びトリートメントする際に、生活環境下で多く存在する細菌を除菌・抗菌し、また衣服などに付いた煙草の臭いなどの消臭が極めて簡単・手軽に行うことがきることから、試行錯誤をした結果、簡単に銀イオンを含むミストを吐出させることが出来る装置を想到し、毛髪の乾燥やトリートメントを行うだけでなくブラシで毛髪のセットを行うことが可能なヘアドライヤーを完成させるに至ったものである。
【００１３】
すなわち、本発明はこのような背景に鑑みてなされたものであって、本発明の目的は、除菌、抗菌及び消臭ができるヘアドライヤーを提供することにある。
【００１４】
本発明の他の目的は、除菌、抗菌及び消臭と共に髪の手入れができるヘアドライヤーを提供することにある。
【課題を解決するための手段】
【００１５】
上記目的を達成するために、本願の請求項１に記載のヘアドライヤーの発明は、一端に吸入口及び他端に吹出口を有し送風装置を内蔵した本体ケースと、前記本体ケースの吹出口に取付けられたブラシユニットと、を有するヘアドライヤーであって、前記ブラシユニットに設けられたブリッスルに向けて銀イオンを含んだミストを噴出させるミスト発生器を備えていることを特徴とする。
【００１６】
また、請求項２に記載の発明は、請求項１に記載のヘアドライヤーにおいて、前記ミスト噴出手段は、前記ブリッスルの植毛面に複数の吹出し孔を有する筒状部材で形成されたブラシユニット内に配設された前記吹出し孔から銀イオンミストを吐出させることを特徴とする。
【００１７】
また、請求項３に記載の発明は、請求項１に記載のヘアドライヤーにおいて、前記ミスト発生器は、前記本体ケースの外周に設けられた、放出口を有するハウジング内に配設された前記放出口から銀イオンミストを吐出させることを特徴とする。
【００１８】
また、請求項４に記載の発明は、請求項３に記載のヘアドライヤーにおいて、前記ミスト発生器を制御するための制御基板を収容するためのハウジングを前記本体ケースの外周に設けていることを特徴とする。
【００１９】
また、請求項５に記載の発明は、請求項２ないし請求項４のいずれか１項に記載のヘアドライヤーにおいて、前記ミスト発生器は、内部に水及び銀ペレットを収容し出口に吸水部材を装着したタンクと、前記吸水部材に接触して該吸水部材から漏出する水をミスト化して噴出させる超音波励振器ユニットと、ミスト化された水をナノサイズ化して噴出させる放電ユニットと、を有していること特徴とする。
【００２０】
また、請求項６に記載の発明は、請求項５に記載のヘアドライヤーにおいて、前記タンクは、前記超音波励振器ユニットに着脱自在に装着されていることを特徴とする。
【００２１】
また、請求項７に記載の発明は、請求項１ないし請求項６のいずれか１項に記載のヘアドライヤーにおいて、前記本体ケース内には、イオン発生器が配設されていることを特徴とする。
【００２２】
また、請求項８に記載の発明は、請求項１ないし請求項７のいずれか１項に記載のヘアドライヤーにおいて、前記本体ケース内には、前記送風装置から送風された空気を所定温度に加熱する加熱手段が配設されていることを特徴とする。
【発明の効果】
【００２３】
本発明は上記構成を備えることにより、以下に示すような優れた効果を奏するものである。すなわち、請求項１の発明によれば、ブラシユニットに設けられたブリッスルに向けて銀イオンを含んだミストが吐出されるので、この銀イオンミストを皮膚、毛髪或いは衣服などの対象物に当てることにより、銀イオンが有する作用によって毛髪、皮膚或いは衣服などを効率よく除菌、抗菌或いは消臭することができる。また、この銀イオンミストが噴霧されているブリッスルによって毛髪をブラッシングすることにより、除菌、抗菌及び消臭と共に髪の手入れができるヘアドライヤーとしても使用できる。なお、ここで述べた除菌とは対象物から菌を除いて減らすことであり、また抗菌とは細菌の増殖を阻止することであり、さらに消臭とは煙草の臭いなどを消すことである。
【００２４】
また、請求項２の発明によれば、ブリッスルの植毛面に設けられた吹出し孔から銀イオンを含んだミストが吐出されるので、この銀イオンミストを皮膚、毛髪或いは衣服などの対象物に当てることにより、銀イオンが有する作用によって毛髪、皮膚或いは衣服などを効率よく除菌、抗菌或いは消臭することができる。また、この銀イオンミストが吹出し孔から噴霧されているブリッスルによって毛髪をブラッシングすることにより、除菌、抗菌及び消臭と共に髪の手入れができるヘアドライヤーとしても使用できる。
【００２５】
また、請求項３の発明によれば、本体ケースに設けられた放出口から銀イオンを含んだミストが吐出されるので、この銀イオンミストを皮膚、毛髪或いは衣服などの対象物に当てることにより、銀イオンが有する作用によって毛髪、皮膚或いは衣服などを効率よく除菌、抗菌或いは消臭することができる。また、この銀イオンミストが放出口から噴霧されているブリッスルによって毛髪をブラッシングすることにより、除菌、抗菌及び消臭と共に髪の手入れができるヘアドライヤーとしても使用できる。さらに、ミスト発生器を本体ケース側に配設することでブラシユニット内に設ける必要がないので、ブラシユニットを軽量化することができるため、容易に整髪作業が行なえるようになる。
【００２６】
また、請求項４の発明によれば、ミスト発生器を制御するための制御基板を本体ケース側に配設することでブラシユニット内に設ける必要がないので、ブラシユニットを軽量化することができるため、容易に整髪作業が行なえるようになる。また、制御基板をバランスよく本体ケース側に配設することができるため、整髪作業がさらに容易に行なえるようになる。
【００２７】
また、請求項５の発明によれば、ミスト発生器は、内部に水及び銀ペレットを収容し出口に吸水部材を装着したタンクと、この吸水部材に接触して該吸水部材から漏出する水をミスト化して噴出させる超音波励振器ユニットと、ミスト化された水をナノサイズ化して噴出させる放電ユニットとで簡単に構成できる。
【００２８】
また、請求項６の発明によれば、タンクを超音波励振器ユニットに着脱自在に装着することにより、タンク内の水が無くなったときに簡単に交換ができる。
【００２９】
また、請求項７の発明によれば、本体ケース内にイオン発生器を配設することにより、供給する送風にマイナスイオンを含有させることができ、毛髪にマイナスイオンを供給させながら整髪できるので、毛髪を痛めることなく整髪作業が行えるようになる。
【００３０】
また、請求項８の発明によれば、本体ケース内に送風装置から送風された空気を所定温度に加熱する加熱手段を配設することにより、供給する送風を温風とすることができ、毛髪に銀イオンミストを含む温風を供給させながら整髪できるので、毛髪を痛めることなく整髪作業が行えるようになる。
【発明を実施するための最良の形態】
【００３１】
以下、図面を参照して本発明の最良の実施形態を説明する。但し、以下に示す実施形態は、本発明の技術思想を具体化するためのヘアドライヤーを例示するものであって、本発明をこのヘアドライヤーに特定することを意図するものではなく、特許請求の範囲に含まれるその他の実施形態のものも等しく適応し得るものである。
【実施例１】
【００３２】
図１は本発明の実施例１に係るヘアドライヤーを示し、図１Ａは本発明の実施例１に係るヘアドライヤーの平面図、図１Ｂは図１ＡのＡ−Ａ線で切断した断面図、図２はブローブラシユニットの斜視図、図３はブローブラシユニットの分解斜視図、図４は図１のブローブラシユニット部分を拡大した断面図、図５は図１のヘアドライヤー内部のミスト発生器を示し、図５Ａはミスト発生器の側面図、図５Ｂは図５ＡのＢ−Ｂ線で切断した断面図である。
【００３３】
本実施例に係るヘアドライヤー１は、内部に送風装置１１等を内蔵した本体ケース２と、本体ケース２に取付けられるブローブラシユニット３と、本体ケース２に接続されて外部電源から電力を供給する電源コード４と、から構成されている。なお、本実施例においては電源コード４を介して外部電源から電圧を得るものについて説明するが、本体ケース２内部に携帯可能な電源、例えば電池等を有していてもよい。
【００３４】
本体ケース２は、図１Ａ及び図１Ｂに示すように、内部に空間が設けられた耐熱性の高い合成樹脂等からなる円筒状部材で形成されている。この本体ケース２の内部空間には、送風装置１１と、送風装置１１から送られた空気を加温するヒータ１４と、が収納されている。
【００３５】
また、本体ケース２の電源コード４が設けられた側の端部には外部から本体ケース２内に空気を取り入れるための吸入口１５が設けられており、吸入口１５が設けられた端部の反対側に位置する端部には、ブローブラシユニット３に空気を供給するための吹出口１６が設けられている。
【００３６】
送風装置１１はモータ１２とファン１３とで構成されており、モータ１２を作動してファン１３を回転させることにより吸入口１５から空気を取り入れ、取り入れた空気を吹出口１６に供給する。また、ヒータ１４は、例えば空気の流路に沿って複数枚の放熱板が設けられるとともに、この放熱板の外縁をつなぐようにニクロム線（図示せず）などが熱源として巻かれて構成されている。
【００３７】
さらに、本体ケース２の側壁面には、送風装置１１及びヒータ１４の駆動を操作するスイッチ１７と、吹出口１６の近傍に設けられて吹出口１６に取付けられるブローブラシユニット３を着脱自在に固定する係止部材１８が設けられている。なお、係止部材１８は公知の固定機構、例えば先端部に鉤状片を有し、この鉤状片を本体ケース２の外面に設けられた押しボタンを押圧することで操作する機構が採用される。
【００３８】
さらにまた、送風装置１１とヒータ１４との間にイオン発生器１９を設けると好ましい。なお、イオン発生器１９の構成は公知のものを用いるため、その説明は省略する。このようにイオン発生器１９を設けると、吹出口１６から供給される温風等にマイナスイオンを含有させることができるので、毛髪にマイナスイオンを供給できるようになり、毛髪に潤いを与えながら整髪することができるようになる。
【００３９】
次に、ブローブラシユニット３の構成について主に図３を参照して説明する。
【００４０】
ブローブラシユニット３は、図３に示すように、本体ケース２から供給される温風が通過するように内部に空間が形成された支持フレーム２０と、支持フレーム２０の上半面を覆うようにこの支持フレーム２０に被嵌された断面略円弧状の第１カバー部材２１と、支持フレーム２０の下半面を覆うようにこの支持フレーム２０に被嵌された断面略円弧状の第２カバー部材２２と、支持フレーム２０と第１カバー部材２１との間に挟入されたブローブラシ部２３と、から構成されている。
【００４１】
支持フレーム２０は、本体ケース２の吹出口１６が設けられた端部の外周囲を覆うように円筒状に形成されて内部に係止部材１８に係合する係止溝（図示せず）が形成された取付け部２４と、ブローブラシ部２３が載置可能なように断面略半円弧状となって長手方向に延びる形状の支持面２５を備え、その支持面２５に吹出口１６からの空気を吐出させる複数個の開口部２６とその内部に吹出口１６からの空気を通風させる通風路２７とが形成された胴部２８と、から構成されている。この支持フレーム２０は、電気絶縁性の合成樹脂成型体で形成されている。
【００４２】
ブローブラシ部２３は、断面が略半円弧状に湾曲した面からなる合成樹脂製の支持面２９と、この支持面と一体成型された複数のブリッスル３０と、から構成されている。この支持面２９には長手方向に複数列の凸部と凹部（本実施例では、７列の凸部とこの凸部間の６列の凹部）が形成されており、各凸部には、複数本のブリッスル３０（本実施例では２２本のブリッスル）が突設されている。また、各凹部には支持面２９の内外を貫通する複数の空気噴出穴（図示せず）が穿設されている。
【００４３】
第１カバー部材２１は、断面が略半円弧状に湾曲した面からなる蓋体３１で形成されており、蓋体３１の内面には、ブローブラシ部２３を取付けた際に着脱自在に固定する係止部材（図示せず）が設けられている。また、蓋体３１には、ブローブラシ部２３を取付けた際にブリッスル３０が突出する位置に蓋体３１の内外を貫通する複数個の貫通孔３２が穿設されている。この第１カバー部材２１は、耐熱性の高い合成樹脂で形成されている。
【００４４】
さらに、蓋体３１には、ブローブラシ部２３を取付けた際にブローブラシ部２３の空気噴出穴に連通する位置に蓋体３１の内外を貫通する複数個の吹出し孔３３が穿設されている。この吹出し孔３３は比較的大径に、詳しくは複数個の貫通孔３２より大径に形成されている。したがって、この蓋体３１の外面は、その内面からブローブラシ部２３が取付けられるとブリッスル３０の植毛面となる構成を有している。
【００４５】
第２カバー部材２２は、一端が開放し他端が閉鎖した内部に空間を有するほぼ半円筒体で形成されており、この第２カバー部材２２の内部には、銀イオンミストを生成して噴出させるミスト発生器３４と、ミスト発生器３４において発生させる超音波や定電圧を制御するための超音波発生基板や定電圧発生基板（両基板ともに図示せず）と、が配設されている。この第２カバー部材２２は、電気絶縁性の合成樹脂で形成されている。
【００４６】
このミスト発生器３４は、図５Ｂに示すように、内部に水及び銀ペレットが収容されたタンク３５と、そのタンク３５の出口に装着された超音波励振器３６と、で構成されている。
【００４７】
タンク３５は、透明或いは半透明樹脂で成型されており、その内部の空洞３７に所定量（例えば５ｃｃ）の水と銀ペレットとが収容されている。銀ペレットは、例えば銀材を不織布で覆ったもので形成され、この銀材は、除菌、抗菌及び無臭効果を奏する性質を有しているため、水を貯留したタンク３５内に銀ペレットを入れると、タンク３５内の水が腐敗したり或いは悪臭を発生したりすることがなくなる。したがって、このタンク３５から流出される水は、銀ペレットから発生する銀イオンが含有された銀イオン水となる。
【００４８】
また、タンク３５は、一端に水の流出口３８が形成されている。この流出口３８には、一端が流出口３８から突出し、他端が空洞３７内の銀イオン水と接触して内部に銀イオン水を吸水するフェルト３９が流出口３８を封止するように装着されている。タンク３５の流出口に吸水性のあるフェルト３９を装着すると、タンク３５内の銀イオン水がこのフェルト３９を伝わって外部へ漏出される。なお、この漏出を容易にするために、タンク３５の一部に負圧弁（図示せず）を設けてもよい。
【００４９】
また、タンク３５の上部には、タンク内の水がなくなったときに給水するための開口部４０が形成され、その開口部４０を塞ぐためのシール性の高い注水ゴム蓋４１が設けられている。さらに、フェルト３９を伝わって漏出した銀イオン水が超音波励振器３６との装着部分から外部へ漏出することを防止するために、タンク３５の出口にＯリング型のパッキン４２が設けられている。
【００５０】
超音波励振器３６は、タンク３５の出口に着脱自在に装着されて、銀イオン水をミスト化する励振器ユニット４３と、銀イオンミストをナノ化する放電ユニット４４と、で構成されている。
【００５１】
励振器ユニット４３は、タンク３５の出口にフェルト３９に接するように装着される多孔質の吸水部材４５と、この吸水部材４５に接触して該吸水部材から漏出する水をミスト化して開口部４６から噴出させる振動板４７と、が収容されている第１ユニット４８と、この振動板４７によって噴出された銀イオンミストの流路４９に沿って配設されたコイルスプリング５０が収容されている第２ユニット５１と、で構成されている。
【００５２】
そして、第１ユニット４８と第２ユニット５１とは、振動板４７がコイルスプリング５０によって吸水部材４５方向へ押さえ込まれるように固定用ビス５２−ａ，５２−ｂで連結されている。なお、振動板４７は、本体ケース２に設けられている電源（図示せず）に接続されている。
【００５３】
振動板４７は、不図示の電源から所定の高周波電圧を印加されると、振動して超音波が発生する。この超音波振動により、振動板４７は、銀イオン水を漏出している吸水部材４５に接触及び離反を繰り返す。
【００５４】
吸水部材４５には複数個の微小穴が形成されているため、この振動板４７の接触及び離反の繰り返しにより、振動板４７と接する吸水部材４５の微小穴から所定粒径のミストが生成されて開口部４６から噴出される。
【００５５】
吸水部材４５に形成されている微小穴は、所定の間隔をあけて略均等に設けられているので、これらの微小穴から粒径が略均一な微小ミストが生成されて開口部４６から噴出される。
【００５６】
放電ユニット４４には、開口部４６から噴出する銀イオンミストをナノ化して開口部５３から噴出させる放電電極５４−ａ，５４−ｂが収容されている。この放電電極５４−ａ，５４−ｂは、それぞれ先端が針状であり、開口部４６から噴出された銀イオンミストの流路５５に配設されている。
【００５７】
なお、各５４−ａ，５４−ｂは放電電極端子５６−ａ，５６−ｂに取付けられたリード線を介して本体ケース２に設けられている電源（図示せず）に接続されている。
【００５８】
放電電極５４−ａ，５４−ｂに不図示の電源から高電圧（例えば５Ｖ）を印加して放電させることにより、流路５５を通過する銀イオンミストをさらにナノメータサイズまでナノ化したナノサイズミストを生成する。生成されたナノサイズ銀ミストは開口部５３から噴出されて、吹出口１６から供給される温風あるいは冷風とともに、ブローブラシ部２３へと誘引される。
【００５９】
また、第２カバー部材２２には、ミスト発生器３４の励振器ユニット４３部分を固定する係止部材５７が設けられている。そして、第１ユニット４８には、タンク３５と着脱自在に固定する係止部材５８が設けられている。この係止部材５８は、例えば、タンク３５に設けられたロック部材と係止可能な形状のフック部材からなり、このロック部材とフック部材によってロック機構を構成している。
【００６０】
このようにタンク３５を励振器ユニット４３と着脱自在とすると、このタンク３５の水がなくなったときに簡単に交換することができる。なお、このタンク３５の着脱作業は、第２カバー部材２２を支持フレーム２０から取り外して行う。
【００６１】
次に、上述の構成からなるヘアドライヤー１の使用方法を説明する。なお、このヘアドライヤー１は、スイッチ１７の制御により使用が行われる。詳しくは、ユーザは、先ずスイッチ１７を操作して送風装置１１及びヒータ１４を作動させ、図４の破線矢印で示された温風あるいは冷風をブローブラシユニット３に供給する。
【００６２】
そしてスイッチ１７を操作して、銀ミスト送風スイッチのオンにより、励振器ユニット４３の振動板４７が振動して、銀イオンミストが生成され、放電ユニット４４の放電電極５４−ａ，５４−ｂが印加されて、ナノサイズ銀イオンミストが生成されて、図４の一点鎖線矢印で示すように噴出される。
【００６３】
さらに、スイッチ１７を操作して、マイナスイオン送風スイッチのオンにより、イオン発生器１９からのマイナスイオンが、図４の二点鎖線矢印で示すように、温風あるいは冷風に混入されて噴出される。
【００６４】
この構成のヘアドライヤーによると、吹出し孔３３からナノサイズまで微粒子化された銀イオンを含んだミストがブリッスル３０に向けて吐出されるので、このブリッスル３０を皮膚、毛髪或いは衣服などの対象物に当てることにより、銀イオンミストがこれらの対象物に当たることになり、銀イオンミストが有する作用により、毛髪、皮膚或いは衣服などを効率よく除菌、抗菌或いは消臭することができる。
【実施例２】
【００６５】
次に、本発明の実施例２について説明する。実施例２に係るヘアドライヤーの構成は基本的に実施例１とほぼ同様であるが、ミスト発生器とそれに付随する超音波発生基板や定電圧発生基板が配設されている位置が実施例１と異なる。
【００６６】
図６は本発明の実施例２に係るヘアドライヤーを示し、図６Ａは本発明の実施例1に係るヘアドライヤーの平面図、図６Ｂは図６Ａのスイッチ側の側面図、図６Ｃは図６Ａの係止部材側の側面図、図６Ｄは図６ＡのＣ−Ｃ線で切断した断面図、図６Ｅは図６Ａの背面図である。なお、図６において、図１ないし図５の実施例１と同一の構成要素は同一の参照符号を付している。
【００６７】
実施例２に係るヘアドライヤー６１は、内部に送風装置１１等を内蔵した本体ケース６２と、本体ケース６２に取付けられるブローブラシユニット６３と、本体ケース６２に接続されて外部電源から電力を供給する電源コード６４と、から構成されている。なお、本実施例においては電源コード６４を介して外部電源から電圧を得るものについて説明するが、本体ケース６２内部に携帯可能な電源、例えば電池等を有していてもよい。
【００６８】
本体ケース６２は、図６Ａ乃至図６Ｅに示すように、内部に空間が設けられた耐熱性の高い合成樹脂等からなる円筒状部材で形成され、本体ケース６２の側壁面には、断面略半円弧状の大小３つのハウジング６５，６６，６７が形成されている。
【００６９】
これらのハウジング６５，６６，６７は、円筒状部材と同じく耐熱性の高い合成樹脂等からなり、ハウジング６５は後述するように本体ケース６２と着脱自在に取り付けられている。
【００７０】
この本体ケース６２の内部空間には、送風装置１１と、送風装置１１から送られた空気を加温するヒータ１４と、が収納されている。
【００７１】
また、本体ケース６２の電源コード６４が設けられた側の端部には外部から本体ケース６２内に空気を取り入れるための吸入口１５が設けられており、吸入口１５が設けられた端部の反対側に位置する端部には、ブローブラシユニット６３に空気を供給するための吹出口１６が設けられている。
【００７２】
送風装置１１はモータ１２とファン１３とで構成されており、モータ１２を作動してファン１３を回転させることにより吸入口１５から空気を取り入れ、取り入れた空気を吹出口１６に供給する。また、ヒータ１４は、例えば空気の流路に沿って複数枚の放熱板が設けられるとともに、この放熱板の外縁をつなぐようにニクロム線（図示せず）などが熱源として巻かれて構成されている。
【００７３】
さらに、本体ケース６２の側壁面には、送風装置１１及びヒータ１４の駆動を操作するスイッチ１７と、吹出口１６の近傍に設けられて吹出口１６に取付けられるブローブラシユニット６３を着脱自在に固定する係止部材１８が設けられている。なお、係止部材１８は公知の固定機構、例えば先端部に鉤状片を有し、この鉤状片を本体ケース６２の外面に設けられた押しボタンを押圧することで操作する機構が採用される。
【００７４】
さらにまた、送風装置１１とヒータ１４との間にイオン発生器１９を設けると好ましい。なお、イオン発生器１９の構成は公知のものを用いるため、その説明は省略する。このようにイオン発生器１９を設けると、吹出口１６から供給される温風等にマイナスイオンを含有させることができるので、毛髪にマイナスイオンを供給できるようになり、毛髪に潤いを与えながら整髪することができるようになる。
【００７５】
さらに、図６Ａに示すように、本体ケース６２の上部に形成されたハウジング６５の内部空間には、ミスト発生器６８を構成するタンク６９と、励振器ユニット７０と、放電ユニット７１と、が収納されている。また、ハウジング６５の一端部には、吹出口１６と方向を同じくしてミスト発生器６８から噴出されたナノサイズ銀イオンミストの放出口７２が形成されている。
【００７６】
タンク６９は、透明或いは半透明樹脂で成型されており、その内部の空洞７３に所定量（例えば５ｃｃ）の水と銀ペレットとが収容されている。銀ペレットは、例えば銀材を不織布で覆ったもので形成され、この銀材は、除菌、抗菌及び無臭効果を奏する性質を有しているため、水を貯留したタンク６９内に銀ペレットを入れると、タンク６９内の水が腐敗したり或いは悪臭を発生したりすることがなくなる。したがって、このタンク６９から流出される水は、銀ペレットから発生する銀イオンが含有された銀イオン水となる。
【００７７】
また、タンク６９は、一端に水の流出口７４が形成されている。この流出口７４には、一端が流出口７４から突出し、他端が空洞７３内の銀イオン水と接触して内部に銀イオン水を吸水するフェルト７５が流出口７４を封止するように装着されている。タンク６９の流出口に吸水性のあるフェルト７５を装着すると、タンク６９内の銀イオン水がこのフェルト７５を伝わって外部へ漏出される。なお、この漏出を容易にするために、タンク６９の一部に負圧弁（図示せず）を設けてもよい。
【００７８】
また、タンク６９の上部には、タンク内の水がなくなったときに給水するための開口部が形成され、その開口部６１４を塞ぐためのシール性の高い注水ゴム蓋７６が設けられている。さらに、フェルト７５を伝わって漏出した銀イオン水が励振器ユニット７０との装着部分から外部へ漏出することを防止するために、タンク６９の出口にＯリング型のパッキン７７が設けられている。
【００７９】
励振器ユニット７０は、タンク６９の出口に着脱自在に装着されて、タンク６９の出口にフェルト７５に接するように装着される多孔質の吸水部材７８と、この吸水部材７８に接触して該吸水部材７８から漏出する水をミスト化して開口部７９から噴出させる振動板８０と、が収容されている第１ユニット（図示せず）と、この振動板８０によって噴出された銀イオンミストの流路に沿って配設されたコイルスプリング８１が収容されている第２ユニット（図示せず）と、で構成されている。
【００８０】
そして、第１ユニットと第２ユニットとは、振動板８０がコイルスプリング８１によって吸水部材７８方向へ押さえ込まれるように固定用ビス（図示せず）で連結されている。なお、振動板８０は、本体ケース６２に設けられている電源（図示せず）に接続されている。
【００８１】
振動板８０は、不図示の電源から所定の高周波電圧を印加されると、振動して超音波が発生する。この超音波振動により、振動板８０は、銀イオン水を漏出している吸水部材７８に接触及び離反を繰り返す。
【００８２】
吸水部材７８には複数個の微小穴が形成されているため、この振動板８０の接触及び離反の繰り返しにより、振動板８０と接する吸水部材７８の微小穴から所定粒径のミストが生成されて開口部７９から噴出される。
【００８３】
吸水部材７８に形成されている微小穴は、所定の間隔をあけて略均等に設けられているので、これらの微小穴から粒径が略均一な微小ミストが生成されて開口部７９から噴出される。
【００８４】
放電ユニット７１には、開口部７９から噴出する銀イオンミストをナノ化して開口部８２から噴出させる放電電極（図示せず）が収容されている。この放電電極は、それぞれ先端が針状であり、開口部７９から噴出された銀イオンミストの流路に配設されている。
【００８５】
なお、各放電電極は放電電極端子（図示せず）に取付けられたリード線を介して本体ケース６２に設けられている電源（図示せず）に接続されている。
【００８６】
放電電極に不図示の電源から高電圧（例えば５Ｖ）を印加して放電させることにより、流路を通過する銀イオンミストをさらにナノメータサイズまでナノ化したナノサイズミストを生成する。生成されたナノサイズ銀ミストは開口部８２から噴出されて、放出口７２からブローブラシユニット６３に設けられたブリッスル３０に向けて吐出される。
【００８７】
また、本体ケース６２には、ミスト発生器６８の励振器ユニット７０部分を固定する係止部材（図示せず）が設けられている。そして、第１ユニットには、タンク６９と着脱自在に固定する係止部材（図示せず）が設けられている。この係止部材は、例えば、タンク６９に設けられたロック部材と係止可能な形状のフック部材からなり、このロック部材とフック部材によってロック機構を構成している。
【００８８】
このようにタンク６９を励振器ユニット７０と着脱自在とすると、このタンク６９の水がなくなったときに簡単に交換することができる。なお、このタンク６９の着脱作業は、ハウジング６５のカバーを取り外して行う。なお、図６Ｂは、ハウジング６５のカバーを取り外した状態を示している。
【００８９】
さらに、図６Ｃに示すように、本体ケース６２の係止部材１８側の後下端部に形成されたハウジング６６の内部空間には、ミスト発生器６８において発生させる超音波を制御するための超音波発生基板８３が配設されている。
【００９０】
また、図６Ｂに示すように、本体ケース６２のスイッチ側１７側の後下端部に形成されたハウジング６７の内部空間には、ミスト発生器６８において発生させる定電圧を制御するための定電圧発生基板８４が配設されている。
【００９１】
なお、ハウジング６６とハウジング６７は、各内部空間に配設される基板の大きさ（容量）に応じてバランスを考慮して、例えば、両空間が同容量の場合には対称位置に形成されることが好ましい。
【００９２】
ブローブラシユニット６３は、図３と同じく、本体ケース６２から供給される温風が通過するように内部に空間が形成された支持フレーム２０と、支持フレーム２０の上半面を覆うようにこの支持フレーム２０に被嵌された断面略円弧状の第１カバー部材２１と、支持フレーム２０の下半面を覆うようにこの支持フレーム２０に被嵌された断面略円弧状の第２カバー部材２２と、支持フレーム２０と第1カバー部材２１との間に挟入されたブローブラシ部２３と、から構成されている。
【００９３】
ここで、ブローブラシユニット６３は、図３に示す実施例１のブローブラシユニット３とは、第２カバー部材２２の内部にイオン発生器３４と、ミスト発生器３４において発生させる超音波や定電圧を制御するための超音波発生基板や定電圧発生基板（両基板ともに図示せず）と、が配設されておらず、また、第２カバー部材２２には、ミスト発生器３４の励振器ユニット４３部分を固定するための係止部材５７が設けられていない点で異なり、その他の構成要素については同一のため、実施例１と同様の構成要素については重複する説明を省略する。
【００９４】
次に、上述の構成からなるヘアドライヤー６１の使用方法を説明する。なお、このヘアドライヤー６１は、スイッチ１７の制御により使用が行われる。詳しくは、ユーザは、先ずスイッチ１７を操作して送風装置１１及びヒータ１４を作動させ、温風あるいは冷風をブローブラシユニット６３に供給する。
【００９５】
そしてスイッチ１７を操作して、銀ミスト送風スイッチのオンにより、励振器ユニット７０の振動板８０が振動して、銀イオンミストが生成され、放電ユニット７１の放電電極が印加されて、ナノサイズ銀イオンミストが生成されて噴出される。
【００９６】
さらに、スイッチ１７を操作して、マイナスイオン送風スイッチのオンにより、イオン発生器１９からのマイナスイオンが温風あるいは冷風に混入されて噴出される。
【００９７】
この構成のヘアドライヤーによると、放出口７２からナノサイズまで微粒子化された銀イオンを含んだミストがブリッスル３０に向けて吐出されるので、このブリッスル３０を皮膚、毛髪或いは衣服などの対象物に当てることにより、銀イオンミストがこれらの対象物に当たることになり、銀イオンミストが有する作用により、毛髪、皮膚或いは衣服などを効率よく除菌、抗菌或いは消臭することができる。
【００９８】
なお、ここでの除菌は、対象物から菌を除いて減らすことであり、また抗菌は、細菌の増殖を阻止することである。また、上記実施例のヘアドライヤーは、除菌、抗菌及び消臭ができる手軽に持ち運びが簡単にできるハンディータイプのドライヤーとしても利用することができる。
【００９９】
また、上記実施例では、ブリッスルを有するドライヤーとしてブローブラシユニットを備えたドライヤーについて説明したが、これに限ることはなく、ロールタイプのブラシユニットを備えたカールドライヤーについても本発明を同様に適用することができる。
【０１００】
さらに、上記実施例では、合成樹脂製のブリッスルを用いて説明したが、このブリッスルは例えば天然或いは人工（ナイロン系）のブラシ毛であってもよい。
【図面の簡単な説明】
【０１０１】
【図１】図１は本発明の実施例1に係るヘアドライヤーを示し、図１Ａは本発明の実施例1に係るヘアドライヤーの平面図、図１Ｂは図１ＡのＡ−Ａ線で切断した断面図である。
【図２】図２はブローブラシユニットの斜視図である。
【図３】図３はブローブラシユニットの分解斜視図である。
【図４】図４は図１のブローブラシユニット部分を拡大した断面図である。
【図５】図５は図１のヘアドライヤー内部のミスト発生器を示し、図５Ａはミスト発生器の側面図、図５Ｂは図５ＡのＢ−Ｂ線で切断した断面図である。
【図６】図６は本発明の実施例２に係るヘアドライヤーを示し、図６Ａは本発明の実施例1に係るヘアドライヤーの平面図、図６Ｂは図６Ａのスイッチ側の側面図、図６Ｃは図６Ａの係止部材側の側面図、図６Ｄは図６ＡのＣ−Ｃ線で切断した断面図、図６Ｅは図６Ａの背面図である。
【図７】図７は従来技術のヘアドライヤーの断面図である。
【符号の説明】
【０１０２】
１，６１：ヘアドライヤー  ２，６２：本体ケース  ３，６３：ブローブラシユニット  ４，６４：電源コード  １１：送風装置  １２：モータ  １３：ファン  １４：ヒータ  １５：吸入口  １６：吹出口  １７：スイッチ  １８，５７，５８：係止部材  １９：イオン発生器  ２０：支持フレーム  ２１：第１カバー部材  ２２：第２カバー部材  ２３：ブローブラシ部  ２４：取付け部  ２５，２９：支持面  ２６，４０，４６，５３，７９，８２：開口部  ２７：通風路  ２８：胴部  ３０：ブリッスル  ３１：蓋体  ３２：貫通孔  ３３：吹出し孔  ３４，６８：ミスト発生器  ３５，６９：タンク  ３６：超音波励振器  ３７，７３：空洞  ３８，７４：流出口  ３９，７５：フェルト  ４１，７６：注水ゴム蓋  ４２，７７：パッキン  ４３，７０：励振器ユニット  ４４，７１：放電ユニット  ４５，７８：吸水部材  ４７，８０：振動板  ４８：第１ユニット  ４９，５５：流路  ５０，８１：コイルスプリング  ５１：第２ユニット  ５２−ａ，５２−ｂ：固定用ビス    ５４−ａ，５４−ｂ：放電電極  ５６−ａ，５６−ｂ：放電電極端子  ６５，６６，６７：ハウジング  ７２：放出口  ８３：超音波発生基板  ８４：定電圧発生基板
【図１】
2010017278.tif 000003
【図２】
2010017278.tif 000004
【図３】
2010017278.tif 000005
【図４】
2010017278.tif 000006
【図５】
2010017278.tif 000007
【図６】
2010017278.tif 000008
【図７】
2010017278.tif 000009